(57)【特許請求の範囲】
【請求項１】
被測定者の体脂肪率を測定する体脂肪率測定回路を内蔵し、この体脂肪率測定回路の人体接触電極が筐体外面に露出して設けられたテレビジョン装置を遠隔操作するためのリモコン装置であって、上記体脂肪率測定回路の電源を、テレビジョン装置を遠隔操作するためのリモコン回路の電源とは別に設けると共に、上記リモコン回路の電源とリモコン回路とを接続し、体脂肪率測定回路の電源と体脂肪率測定回路とを非接続とした第１の状態と、上記体脂肪率測定回路の電源と体脂肪率測定回路とを接続し、リモコン回路の電源とリモコン回路とを非接続とした第２の状態とを択一的に切替える切替手段を設けたことを特徴とするリモコン装置。
【請求項２】
被測定者の体脂肪率を測定する体脂肪率測定回路を内蔵し、この体脂肪率測定回路の人体接触電極が筐体外面に露出して設けられたテレビジョン装置を遠隔操作するためのリモコン装置であって、上記体脂肪率測定回路の電源を、テレビジョン装置を遠隔操作するためのリモコン回路の電源とは別に設けると共に、
上記リモコン回路の電源とリモコン回路とを接続し、体脂肪率測定回路の電源と体脂肪率測定回路とを非接続とした第１の状態と、上記体脂肪率測定回路の電源と体脂肪率測定回路とを接続し、リモコン回路の電源とリモコン回路とを非接続とした第２の状態とを択一的に切替える切替手段を設け、かつ上記人体接触電極は筐体外面の複数ヵ所に分散して設けると共に、この複数ヵ所の人体接触電極全てに人体が接触している場合に上記切替手段を第２の状態へと切替える切替制御回路を備えたことを特徴とするリモコン装置。
【発明の詳細な説明】
【０００１】
【発明の属する技術分野】
本発明は、人体の体脂肪率を測定する機能を兼ね備えたリモコン装置に関する。
【０００２】
【従来の技術】
テレビジョン装置等を遠隔操作するリモコン装置は、日常頻繁に用いられるものであるため、遠隔操作機能と別の付加機能を備えることにより、その付加機能をも頻繁に利用できることとなる。そのため、リモコン装置の付加価値が向上すると考えられる。
【０００３】
ここで、リモコン装置に付加機能を備えている装置として、特開平６−１９８５１号公報に示された電卓機能付きのリモートコントロール装置がある。この公報には、リモートコントロール装置において、電卓機能は太陽電池により動作させ、リモコン機能は内蔵電池により動作させることが記載されている。これは、太陽電池でリモコン機能に必要な電力量を得ることができないため、別電源にする必要があるためである。
【０００４】
また、特開平９−８３８９２号公報には血圧測定機能を備えたリモコン装置が記載されており、実開昭６１−１６６６７６号公報には自律神経訓練機能を備えたリモコン装置が示されている。
【０００５】
さらに、本出願人は実願２００１−６５６７号において、テレビジョン装置のリモコンに付加的に体脂肪率を測定する機能を備えた機器を提案している。テレビジョン装置のリモコン装置は、日常頻繁に用いられるものであり、これに体脂肪計を備え付けることによりユーザが手軽に且つ習慣的に体脂肪率を測定できると考えられるため、適切な機器への付加機能であると言える。
【０００６】
【発明が解決しようとする課題】
ここで、体脂肪率を測定する場合に必要な消費電力量は、リモコン機能に必要な消費電力量よりも多くなる。これは、体脂肪率を測定する際に、人体に微弱な高周波電流を流して人体のインピーダンス値を測定するようにしているためである。よって、体脂肪率の測定を頻繁に行うことにより、体脂肪率の測定機能部へ供給する電力もリモコン装置自身の電源で賄うようにしている場合、つまり電源が一系統であった場合には、リモコン装置の電池の消耗が予想以上に早く進み、本来の機能であるリモコン機能が短期間で使えなくなるおそれがある。
【０００７】
また、人体のインピーダンス値を測定する際には、約６Ｖ程度の電圧が必要になる。しかし、通常のリモコン装置は、１．５Ｖの単３形電池１本または２本により動作している場合が多く、６Ｖの電圧を供給するためには変圧手段が必要となる。一方、リモコン機能には、高電圧は不要であり、低電圧で動作させる方が消費電力量が抑えられる。このため、６Ｖの電池のみによりリモコン装置を動作させると、消費電力量が大きくなり、電池の電力低下が進みやすくなる。
【０００８】
また、リモコン装置を常に体脂肪率が測定できる状態にしておくと、無駄な電力消費が進むことになり、電池の交換を頻繁に行わなくてはいけなくなる。
本発明の課題は、体脂肪率測定機能を備えたリモコン装置において、体脂肪率を測定できない状態であってもリモコン機能を損なわないリモコン装置を提供することにある。本発明の別の課題は、高電圧が必要となる体脂肪計の電源に対して電力消費を抑えることが可能なリモコン装置を提供することにある。
【０００９】
【課題を解決するための手段】
請求項１に記載の発明は、被測定者の体脂肪率を測定する体脂肪率測定回路を内蔵し、この体脂肪率測定回路の人体接触電極が筐体外面に露出して設けられたテレビジョン装置を遠隔操作するためのリモコン装置であって、上記体脂肪率測定回路の電源を、テレビジョン装置を遠隔操作するためのリモコン回路の電源とは別に設けると共に、
上記リモコン回路の電源とリモコン回路とを接続し、体脂肪率測定回路の電源と体脂肪率測定回路とを非接続とした第１の状態と、上記体脂肪率測定回路の電源と体脂肪率測定回路とを接続し、リモコン回路の電源とリモコン回路とを非接続とした第２の状態とを択一的に切替える切替手段を設けたことを特徴とするリモコン装置である。
【００１０】
請求項２に記載の発明は、被測定者の体脂肪率を測定する体脂肪率測定回路を内蔵し、この体脂肪率測定回路の人体接触電極が筐体外面に露出して設けられたテレビジョン装置を遠隔操作するためのリモコン装置であって、上記体脂肪率測定回路の電源を、テレビジョン装置を遠隔操作するためのリモコン回路の電源とは別に設けると共に、
上記リモコン回路の電源とリモコン回路とを接続し、体脂肪率測定回路の電源と体脂肪率測定回路とを非接続とした第１の状態と、上記体脂肪率測定回路の電源と体脂肪率測定回路とを接続し、リモコン回路の電源とリモコン回路とを非接続とした第２の状態とを択一的に切替える切替手段を設け、かつ上記人体接触電極は筐体外面の複数ヵ所に分散して設けると共に、この複数ヵ所の人体接触電極全てに人体が接触している場合に上記切替手段を第２の状態へと切替える切替制御回路を備えたことを特徴とするリモコン装置である。
【００１１】
【発明の実施の形態】
本発明に係るリモコン装置１を図１に示す。図１（ａ）は、リモコン装置１の上面図であり、図１（ｂ）は、リモコン装置１の側面図である。また、リモコン装置１のブロック図を図２に示す。このリモコン装置１は、図示しないテレビジョン装置の遠隔操作用リモコン装置であり、ユーザの体脂肪率を測定することが可能である。
【００１２】
＜全体の構成＞
リモコン装置１は、操作キー１１、液晶表示部１２、電極１３、切替スイッチ１４を備えている。
操作キー１１は、リモコン装置１の上面に複数設けられており、テレビジョン装置への操作指示を入力するためのキーである。また、操作キー１１は、体脂肪率を測定するために必要なユーザの情報を入力するためのキーを兼ねている。また、操作キー１１には、電源キー１１ａが設けられている。電源キー１１ａは、テレビジョン装置の電源の入切を入力するためのキーである。
【００１３】
液晶表示部１２は、体脂肪率を表示するための表示部である。
電極１３は、リモコン装置１の上面及び下面にそれぞれ２ヶ所、計４ヶ所１３ａ，１３ｂ，１３ｃ，１３ｄに設けられており、ユーザの指を所定時間接触させることにより、ユーザの体脂肪率を算出するための測定を行うことができる。
切替スイッチ１４は、リモコン装置１の機能の切り替え用スライドスイッチであり、右にスライドさせるとテレビジョン装置への操作指示を行うリモコン機能（第１の状態）、左にスライドさせるとユーザの体脂肪率を測定する体脂肪率測定機能（第２の状態）を使用することができる。
【００１４】
また、リモコン装置１は、図１に示されているように、その内部に赤外線ＬＥＤ２１、リモコン用電池２２、及び体脂肪率測定用電池２３をさらに備えている。赤外線ＬＥＤ２１は、リモコン装置１の側面に設けられており、赤外線によりリモコン装置１からテレビジョン装置へ信号を送信する。
【００１５】
リモコン用電池２２は、２個の単３形電池であり、リモコン装置１のリモコン機能の関係部分に計３Ｖの電圧の電源供給を行う。
体脂肪率測定用電池２３は、２個のコイン形リチウム電池であり、リモコン装置１の体脂肪率測定機能の関係部分に計６Ｖの電圧の電源供給を行う。
次に図２の内部ブロック図に従ってリモコン装置１の制御関係の説明を行う。
【００１６】
リモコン装置１は、制御用マイコン３１、測定回路３２、赤外線出力回路３３をさらに備えている。
制御用マイコン３１は、リモコン装置１全体の制御を行う。また、制御用マイコン３１は、ユーザの体脂肪率の算出を行う。さらに制御用マイコン３１は、記憶部を有している。
【００１７】
測定回路３２は、電極１３によりユーザの体脂肪率を算出するための測定を行う。すなわち、ユーザが電極１３ａと１３ｃを左手の指でつまむように挟み、電極１３ｂと１３ｃを右手の指でつまむようにして挟んだ際の、電極１３ａ，１３ｃと電極１３ｂ，１３ｃ間で生じるインピーダンスを測定する。
赤外線出力回路３３は、赤外線ＬＥＤ２１によりテレビジョン装置へ操作指示の送信を行う。
なお、図２で示されているように、切替スイッチ１４により体脂肪率測定機能を使用する設定（実線で示す。第２の状態）である場合、体脂肪率測定用電池２３から制御用マイコン３１、測定回路３２、及び液晶表示部１２に電力が供給される。また、切替スイッチ１４によりリモコン機能を使用する設定（鎖線で示す。第１の状態）である場合、リモコン用電池２２から制御用マイコン３１及び赤外線出力回路３３に電力が供給される。
【００１８】
＜リモコン機能における動作＞
切替スイッチ１４がリモコン機能を使用する設定である場合に、ユーザがテレビジョン装置への操作指示を操作キー１１に入力する。その入力に従って、制御用マイコン３１が赤外線出力回路３３の制御を行う。これにより、赤外線による操作指示信号が赤外線ＬＥＤ２１により送信される。従って、上記実施態様において、制御用マイコン３１と赤外線出力回路３３および赤外線ＬＥＤ２１がリモコン回路を構成し、制御用マイコン３１と、測定回路３２と、電極１３とでもって体脂肪率測定回路を構成する。
【００１９】
＜体脂肪率測定機能における動作＞
次に、体脂肪率の測定について説明する。
体脂肪率は、体重に占める体脂肪量の割合をいう。体脂肪率を求めるには、脂肪組織と除脂肪組織との抵抗値の差異を利用して、脂肪組織の割合を求める。脂肪組織の割合を求める測定方法として、インピーダンス法がある。これは人体に微弱な高周波電流が流れるときの抵抗値を測定するものである。除脂肪組織の大部分は電解質を含む水分なので、電流の通り易さから除脂肪体重を算出する。具体的な除脂肪体重の求め方は、除脂肪体重が身長の２乗を人体のインピーダンス値で割った値に比例することを利用する。
【００２０】
体脂肪率を測定するには、まず切替スイッチ１４が体脂肪率測定機能を使用する設定である場合に、ユーザの情報の入力受け付けを行う。すなわち、ユーザが操作キー１１に入力するのを受け付ける。ユーザの情報としては、性別、年齢、身長、体重などである。入力されたユーザの情報は、制御用マイコン３１の記憶部に記憶される。
【００２１】
次に、４ヶ所の電極１３にユーザの左手及び右手の親指と人差し指とを所定時間接触させる。この間、制御用マイコン３１は、測定回路３２に電極間電圧を測定するよう指示する。この指示により、測定回路３２は、２個の電極１３ａ，１３ｃに所定の電圧を印加する。そして、残りの２個の電極１３ｂ，１３ｄにより電圧を検出する。制御用マイコン３１は、この電極間の電圧値からユーザのインピーダンス値を求める。
【００２２】
ユーザのインピーダンス値と、前もって入力されたユーザの情報とに基づいて、制御用マイコン３１がユーザの現在の体脂肪率を算出する。制御用マイコン３１は、算出された体脂肪率を液晶表示部１２に表示させる。これにより、ユーザは現在の体脂肪率を知ることができる。
なお、算出された体脂肪率は、制御用マイコン３１の記憶部に記憶される。この記憶された過去の体脂肪率は、ユーザに操作キー１１を操作されることにより液晶表示部１２に表示する。
【００２３】
＜特徴＞
体脂肪率測定機能において、制御用マイコン３１は、２個の電極１３に電圧を印加して、人体に微弱な高周波電流を流すことにより求められるユーザの情報とユーザのインピーダンス値から体脂肪率を算出している。体脂肪率の測定には、高周波電流を用いるため、リモコン装置１は、リモコン機能に必要な電力よりも大きな電力及び高い電圧が必要となる。また、体脂肪率の測定を繰り返すことにより、体脂肪率測定用電池２３の消耗が進む。しかし、本実施形態のリモコン装置１は、体脂肪率測定用電池２３とリモコン用電池２２とが分けられているため、体脂肪率の測定を行う場合にも大きな電力及び高い電圧を別個独立の電池から供給することが可能である。また、体脂肪率測定用電池２３は、体脂肪率測定機能のときにだけ使用されるので、体脂肪率測定用電池２３の消耗が抑えられる。さらに、体脂肪率測定用電池２３が消耗した場合にも、リモコン用電池２２が別に設けられているリモコン装置１の本来の機能であるリモコン機能を損なわない。
【００２４】
＜他の実施例＞
（Ａ）
本実施形態のリモコン装置１では、切替スイッチ１４が機械的なスライドスイッチであるが、操作キー１１の一つが機能切替キーであって、切替キーを押すと制御用マイコン３１により体脂肪率測定用電池２３とリモコン用電池２２とを択一的に選択するようなソフトウェア的なスイッチであっても良い。
【００２５】
（Ｂ）
本実施形態のリモコン装置１では、ユーザが一人であることを想定している。しかし、制御用マイコン３１の記憶部に記憶されるユーザの情報を複数名分記憶できるようにすると共に、体脂肪率の測定の際にユーザの情報から現在のユーザの情報を選択できるようにすることで、複数のユーザが体脂肪率を測定することを可能としても良い。
【００２６】
（Ｃ）
本実施形態のリモコン装置１では、算出された体脂肪率を液晶表示部１２に表示することによりユーザに示している。これによりプライバシーの保護を図ることができる。しかし、リモコン装置１は小型であるため、液晶表示部１２も小型にせざるを得ない。このため、目の悪い人には表示が見えづらいことがある。また、過去の体脂肪率を表示する場合、複数の過去の体脂肪率を表示することができないため、体脂肪率の変化が分かりづらい。
【００２７】
そこで、テレビジョン装置が体脂肪率を表示する表示機能を有する場合には、図３に示されるようにリモコン装置１で算出された体脂肪率を表示することが可能となる。この場合には、図４に示されるブロック図のように、切替スイッチ１４において体脂肪率測定機能を使用するときにも赤外線出力回路３３に電力が供給されるとともに、液晶表示部１２に表示する内容と同様の表示をテレビジョン装置に表示させるため、赤外線出力回路３３から赤外線ＬＥＤ２１により赤外線信号を送信する。テレビジョン装置がこの信号を受けて表示することにより、液晶表示部１２よりも大きいテレビジョン装置の画面上に見やすく体脂肪率を表示できる。また、過去の体脂肪率を複数表示しても良い。
【００２８】
さらに、テレビジョン装置にグラフ表示機能が備えられていれば、テレビジョン装置が信号を受けることにより、図５に示されるように、横軸を日数、縦軸を体脂肪率としたグラフを表示して、ユーザの体脂肪率の変化を示すことが可能となる。これにより、体脂肪率の変化を分かりやすく知ることができる。
【００２９】
さらに、切替スイッチ１４を電子的スイッチとした場合には、次のように構成して、電極１３ａ，１３ｂ，１３ｃ，１３ｄ全てをユーザが挟んでいる（接触している）ことを条件として切替スイッチ１４が体脂肪率測定側（第２の状態）へ自動的に切替わるようにできる。
【００３０】
すなわち、図６にブロック図で示したように、電子的スイッチである切替スイッチ１４に接続された切替制御回路３５を設け、この切替制御回路３５は、電極１３ａ，１３ｂ，１３ｃ，１３ｄの全てがユーザーの手によって接触された場合に切替スイッチ１４を第２の状態へ切替えるように動作する。すなわち、ユーザーが電極１３ａ，１３ｂ，１３ｃ，１３ｄを把握した際に、自動的に体脂肪率測定機能が稼働可能となる。
【００３１】
この切替制御回路３５をさらに詳述すると、図７に示したようになる。すなわち、電極１３ａ，１３ｂをベース接続したトランジスタＴｒ１とＴｒ２のエミッタ側出力を前記制御用マイコン３１へ接続し、電極１３ａと１３ｃおよび電極１３ｂと１３ｄが導通するとトランジスタＴｒ１とＴｒ２がオンとなって制御用マイコン３１へハイ信号が入力され、これによってマイコン３１は切替スイッチ１４へ第２の状態（図７の鎖線）となるよう信号を出力する。この信号によって切替スイッチ１４が鎖線状態に切替えられ、体脂肪率測定用電池２３が前記体脂肪率測定回路へ接続される。
【００３２】
ユーザーが電極１３に接触せず、電極１３ａと１３ｃ及び電極１３ｂと１３ｄが導通していない状態では、マイコン３１は切替スイッチ１４へ切替信号を発しないので、切替スイッチ１４は図７実線示（第１の状態）のままであり、リモコン用電池２２が前記リモコン回路へ接続される。
【００３３】
なお、マイコン３１用の電力もこの実施態様では切替スイッチ１４により、電池２３と電池２２で択一的に切替えて供給するようになっているので、瞬断を防ぐためにコンデンサ３６を備え、電池２２と電池２３の間の電圧差を補償するためにツェナーダイオード３７を備えている。
【００３４】
【発明の効果】
請求項１の発明に係るリモコン装置では、体脂肪率測定回路のためにリモコン機能とは別の電源から電力を供給している。リモコン機能を使用する場合には、リモコン用電源を用いている。体脂肪率測定回路には、リモコン機能への電力供給を行うリモコン用電源よりも高電圧である体脂肪率測定用電源により電力が供給されている。そして、体脂肪率を測定する場合には、切替手段により体脂肪率測定用電源から電力を供給することができるので、無駄な消費電力を抑えることができる。また、請求項２の発明ではユーザーが電極に接触することにより、自動的に電源供給が切替わるので、スライドスイッチ等の操作を省略することができる。
【図面の簡単な説明】
【図１】本発明の実施形態に係るリモコン装置の（ａ）上面図、及び（ｂ）側面図。
【図２】リモコン装置の制御及び電力ブロック図。
【図３】他の実施例に係るリモコン装置により表示指示されたテレビジョン装置の表示の一例。
【図４】他の実施例に係る値もコン装置の制御及び電力ブロック図。
【図５】他の実施例に係るリモコン装置により表示指示されたテレビジョン装置の表示の一例。
【図６】他の実施例に係るリモコン装置の制御ブロック図。
【図７】切替制御回路の一例を示す回路図。
【符号の説明】
１  リモコン装置
１３  電源
１３ａ，１３ｂ，１３ｃ，１３ｄ  電極
１４  切替スイッチ
２２  リモコン用電池
２３  体脂肪率測定用電池
３１  制御用マイコン
３２  測定回路
３５  切替制御回路
【図１】
0003633905.tif 000002
【図２】
0003633905.tif 000003
【図３】
0003633905.tif 000004
【図４】
0003633905.tif 000005
【図５】
0003633905.tif 000006
【図６】
0003633905.tif 000007
【図７】
0003633905.tif 000008